(57)【要約】【課題】背もたれの傾動のロック姿勢とロック解除姿勢とに交互に切り換える切換機構をベース内に配置して、ロッキング椅子のデザインをスッキリさせる。【解決手段】  背もたれを後傾動させる流体圧シリンダに進退動可能に設けられたロッド２６ｂをロッドに切換機構３３を連結する。切換機構を遠隔操作することにより、ロッド２６ｂに設けられたプッシュボタン４３をロック状態とロック解除状態とに交互に切り換えるように構成したものであり、切換部材は、ロッドの進退方向と交差する方向に往復移動する摺動ブロック３８であり、摺動ブロックには、押動体３７の案内ピン６３をロック位置とロック解除位置とに巡回移動する案内溝カム６７と、この案内溝カムに関連して設けられて案内ピンをロック位置とロック解除位置とで安息状態を保持させる部位が設けられている。【選択図】図９
2014097150.tif 000002
【特許請求の範囲】
【請求項１】
椅子の背もたれの後傾姿勢をロック姿勢とロック解除姿勢とに交互に切り換える切換機構を有するロッキング椅子であって、
椅子の背もたれを後傾動させる流体圧シリンダにロッドを進退動可能に設け、
前記ロッドに前記切換機構を連結し、
前記切換機構を遠隔操作することにより、前記ロッドに設けられたプッシュボタンをロック状態とロック解除状態とに交互に切り換えるように構成した、ロッキング椅子。
【請求項２】
前記切換機構は、前記ロッドに連結するケースと、このケースに設けられて前記プッシュボタンを押動する押動体と、前記ケースに設けられて前記押動体の姿勢を切り換え保持する切換部材を備え、
人が着座した状態で前記押動体を傾動操作することによりロック姿勢とロック解除姿勢とに交互に移動させる、請求項１に記載のロッキング椅子。
【請求項３】
前記切換部材は、前記ロッドの進退方向と交差する方向に往復移動する摺動ブロックであり、前記摺動ブロックには、前記押動体の案内ピンをロック位置とロック解除位置とに巡回移動する案内溝カムと、この案内溝カムに関連して設けられて前記案内ピンをロック位置とロック解除位置とで安息状態を保持させる部位が設けられている、請求項２に記載のロッキング椅子。
【請求項４】
前記押動体は前記ケース内に配置され、前記摺動ブロックは前記ケースに対して摺動自在に装着されている、請求項３に記載のロッキング椅子。
【発明の詳細な説明】
【技術分野】
【０００１】
本願発明は、背もたれが後傾動するロッキング椅子に関し、より詳しくは、背もたれの後傾動のロック状態及びロック解除状態に切り換え保持する切換機構を備えたロッキング椅子に関するものである。
【背景技術】
【０００２】
上記切換機構を備えたロッキング椅子は種々提案されている。背もたれの後傾動のロック状態及びロック解除状態に切り換え保持する操作では、操作レバーを操作する毎にロック状態及びロック解除状態とに交互に切り換わることが好ましい。そのため、特許文献１では、背もたれを後傾動させるガスシリンダのプッシュロッドの先端を押圧するクランク部材を椅子シートの下方などに設け、ガスシリンダから遠くに離れた位置、例えば椅子の肘に操作用のプッシュ部材をケース内にて進退動且つ回動可能に設け、クランク部材の他端にワイヤの一端を連結し、このワイヤの他端に、プッシュ部材を連結する。そして、プッシュ部材には、軸方向の押し込み操作により軸方向の２位置に交互に切換・保持可能な歩進停止機構を設け、プッシュ部材を押すことにより、プッシュロッドを介してガスシリンダの開閉バルブを開位置と閉位置とに切り換えることが開示されている。歩進停止機構の一例は、プッシュ部材の側面に形成されたハート型のエンドレスな案内溝に、ケース内面に突設したガイドピンを係合させる。ケース内に設けられたスプリングが上向きに突出する方向に付勢していることにより、プッシュ部材は突出状態で、ワイヤを引っ張った状態である。
【０００３】
他方、特許文献２では、椅子の背もたれのロッキング機構を操作するため、椅子のループ状肘の内径部に、その上辺部を少なくとも覆う内外カバー体を取付け、この内外カバー体の間に、ガスシリンダのロック位置とアンロック位置との間で切り替わる切換部材とその操作レバーとを有しており、切換部材は肘掛けのフレームまたは内カバー体の外向き面に形成されたハード型の凹溝とこの凹溝に嵌まるピンを備えた係止体とであり、切換部材にワイヤの一端を連結し、ワイヤの他端は傾動用のガスシリンダのプッシュボタンの押圧部材に連結されている。
【先行技術文献】
【特許文献】
【０００４】
【特許文献１】特開２００１−７００７１号公報（図１〜図３参照）
【特許文献２】特開２００７−１０５２９３号公報（図５〜図７参照）
【発明の概要】
【０００５】
特許文献１，２のように、切換機構や切換部材を、肘の部材に取り付けすると、切換機構や切換部材の構成部品点数が多いため、嵩張り、肘のデザインがスッキリしないという問題があった。
【０００６】
また、ガスシリンダのプッシュボタン（プッシュロッド）を押圧する部材が切換機構や切換部材とは別の箇所に設けられているから、取付け作業も面倒であるという問題もあった。
【０００７】
本願発明はこのような現状に鑑み成されたものであり、改良された切換機構を有するロッキング椅子を提供することを目的とするものである。また、本願では多くの改良点を開示しており、これらの改良点を提供することも目的と成り得る。
【課題を解決するための手段】
【０００８】
本願発明は各請求項の構成を含んでいる。このうち請求項１の発明は上位概念を成すものであり、椅子の背もたれの後傾姿勢をロック姿勢とロック解除姿勢とに交互に切り換える切換機構を有するロッキング椅子であって、椅子の背もたれを後傾動させる流体圧シリンダにロッドを進退動可能に設け、前記ロッドに前記切換機構を連結し、前記切換機構を遠隔操作することにより、前記ロッドに設けられたプッシュボタンをロック状態とロック解除状態とに交互に切り換えるように構成したものである。
【０００９】
請求項２の発明は請求項１を具体化したもので、請求項１において、前記切換機構は、前記ロッドに連結するケースと、このケースに設けられて前記プッシュボタンを押動する押動体と、前記ケースに設けられて前記押動体の姿勢を切り換え保持する切換部材を備え、人が着座した状態で前記押動体を傾動操作することによりロック姿勢とロック解除姿勢とに交互に移動させるものである。
【００１０】
請求項３の発明は請求項２を具体化したもので、前記切換部材は、前記ロッドの進退方向と交差する方向に往復移動する摺動ブロックであり、前記摺動ブロックには、前記押動体の案内ピンをロック位置とロック解除位置とに巡回移動させる案内溝カムと、この案内溝カムに関連して設けられて前記案内ピンをロック位置とロック解除位置とで安息状態を保持する部位が設けられているものである。
【００１１】
請求項４の発明は請求項３を具体化したもので、前記押動体は前記ケース内に配置され、前記摺動ブロックは前記ケースに対して摺動自在に装着されているものである。
【発明の効果】
【００１２】
本願発明は、背もたれの後傾姿勢をロック姿勢とロック解除姿勢とに交互に切り換える切換機構を、椅子の背もたれを後傾動させる流体圧シリンダに進退動可能に設けられたロッドに連結したものであって、通常、流体圧シリンダは椅子の座より下方などの隠された部分に設けられるので、本願発明の切換機構も外部から見えなくすることが容易となり、椅子のデザインがスッキリする。
【００１３】
本願の請求項２の発明では、切換機構は、前記ロッドに連結するケースと、このケースに設けられて前記プッシュボタンを押動する押動体と、前記ケースに設けられて前記押動体の姿勢を切り換え保持する切換部材を備え、人が着座した状態で前記押動体を傾動操作することによりロック姿勢とロック解除姿勢とに交互に移動させるものである。本発明では、プッシュボタンを押動する押動体が切換部材と関連されて切換機構の一部としてケースと共に組み込まれているので、装置としてコンパクトになり、椅子の座より下方のベース内に組み込み易くなる。
【００１４】
請求項４の発明のように、前記押動体は前記ケース内に配置され、前記摺動ブロックは前記ケースに対して摺動自在に装着されていると、ケースをロッドに連結するだけで、切換機構を装着できて、取付け作業が至極簡単となる。
【図面の簡単な説明】
【００１５】
【図１】（Ａ）は椅子の正面図、（Ｂ）は右側面図、（Ｃ）は平面図である。
【図２】座アウター部材を外した状態の支持機構部の分離斜視図である。
【図３】支持機構部の拡大斜視図である。
【図４】支持機構部の縦断側面図である。
【図５】ロック装置の全体斜視図である。
【図６】（Ａ）はロック装置の右側面図、（Ｂ）は同じく下面図、（Ｃ）は後面図である。
【図７】ロック装置の部品の一部を分解した斜視図である。
【図８】ロック装置における切換機構の部品分解斜視図である。
【図９】（Ａ）はロック状態の切換機構を上方から見た説明図、（Ｂ）は同じく拡大縦断面図である。
【図１０】（Ａ）はロック解除状態の切換機構を上方から見た説明図、（Ｂ）は同じく拡大縦断面図である。
【図１１】ロック装置における切換機構の作用説明図である。
【図１２】（Ａ）は操作レバーの側面からの斜視図、（Ｂ）は前方左からの斜視図、（Ｃ）は前方右からの斜視図である。
【図１３】（Ａ）は指掛け部の見える箇所での拡大断面図、（Ｂ）はアームと軸部の見える箇所での拡大断面図、（Ｃ）は操作レバーを縦断した拡大断面図である。
【発明を実施するための形態】
【００１６】
次に、本願発明の実施形態を図１〜図１１に基づいて説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００１７】
［椅子の概略］
まず、椅子の概要を、主として図１〜図３に基づいて説明する。本実施形態は事務用等に多用されている回転椅子に適用しており、図１に示すように、椅子は、座１及び背もたれ２と、脚３とを備えている。
【００１８】
脚３は、脚柱としてのガスシリンダ４と、これを支えて放射状に延びる複数本の枝杆５とを備えており、各枝杆５の先端にはキャスタ６を取付けている。従って、本実施形態は座１及び背もたれ２の高さ調節できる回転椅子に適用されている。
【００１９】
ガスシリンダ４の上端には、座受け部材の一例としてのベース７が固定されている。例えば図１、図２  及び図３に示すように、ベース７の上に金属板製の中間金具（座受け金具）８が配置されており、この中間金具８に樹脂製の座アウター部材９が取り付けられている。
【００２０】
座１は、樹脂製の座アウター部材９とその上面に重ね配置した座クッション材（不図示）とを有しており、座クッション材はクロス等の表皮材で上から覆われている。
【００２１】
図１及び図２に示すように、背もたれ２は樹脂製の腰部アウター部材（不図示）と、同じく樹脂製の背板１２と、図示しない背クッション体が前面に張り付けられ、その後、袋状の表装体１３にてすっぽり覆われている。また、座１の左右両側にはループ状の肘１４が設けられている。
【００２２】
［支持機構部の概略］
本実施形態では、例えば図２、図３、図４に示すように、ベース７には背支持フレーム１５が後傾動自在に連結されていると共に、背支持フレーム１５に背もたれ２が取り付けられている。背支持フレーム１５は樹脂製又はアルミダイキャスト製であり、図２や図３に示すように、ベース７の後ろにおいて左右方向に広がる基部１５ａと、基部１５ａの左右両側部からベース７の外側位置で前向きに延びるアーム部１５ｂとを有しており、左右アーム部１５ｂの前端部が左右横長の第１軸１６（図３、図７参照）でベース７に連結されている。従って、背もたれ２は第１軸１６の軸心回りに傾動する。
【００２３】
背支持フレーム１５における左右アーム部１５ｂの前部は左右内側に入り込んだクランク部１５ｃになっており、クランク部の基端部に第１軸１６が貫通している。また、左右クランク部１５ｃの前端は、弾力調節ユニットとしてのバネユニット５０のロッキングバネ（不図示）を押圧するための押圧部の一例として左右横長の押動軸１７で一体に繋がっている。クランク部１５ｃの基端部に第１軸１６が貫通している。また、押動軸１７は下カバー１９で下方から覆われている。下カバー１９の左右側板には、押動軸１７の回動を許容する長穴（不図示）が上向きに開口している。
【００２４】
背支持フレーム１５は第１軸１６を中心にして後傾動する。そこで、ベース７の内部にバネユニット５０を設けて、背支持フレーム１５の後傾動に抵抗を付与している。バネユニット５０は、ロッキングに対する抵抗の大きさを段階的または無段階に調節するためのものであり、図４、図６に示すロック用ガスシリンダ１８は背もたれ２を任意の後傾角度に保持し、またはロック解除するためのロック装置である。
【００２５】
本実施形態の椅子は、背もたれ２の後傾に連動して座１が後退しつつ後傾するシンクロタイプの椅子であり、中間金具８の前部を弾力調節ユニットの前部に後退動可能に連結し、中間金具８の後部は、背支持フレーム１５に上向き突設したブラケット部２０に左右横長の第２軸２５で連結されている。また、中間金具８の前部は上向き移動不能に保持され、且つベース７に対して前後摺動可能に設けられている。このため、座１の前部を上に持ち上げても中間金具８がベース７から外れることはない。
【００２６】
例えば図３に示すように、中間金具８は概ね平面視四角形に近い形状であり、上板と左右側板とを有している。第２軸２５は側板に貫通している。なお、図２に示すように、中間金具８の側板は、背支持フレーム１５におけるブラケット部２０の内側に位置している。
【００２７】
例えば、図３、図４から理解できるように、ベース７の後半部の底は段が上がって高くなっており、この高くなった部位に、底板と左右側板３０ａとを有する溝型のベースブラケット３０が溶接によって固定されている。ベースブラケット３０の底板とベース７の底板とに上下開口のブッシュ３１が溶接されており、ブッシュ３１に脚支柱（ガスシリンダ）４の上端が下方から嵌着している。また、ベースブラケット３０の左右側板３０ａには左右横長の第３軸３２が貫通しており、第３軸３２でロック用ガスシリンダ１８が前向き移動不能に支持されている。第３軸３２は、ベースブラケット３０の左右側板３０ａに取り付けられている。
【００２８】
［弾力調節機構］
次に、弾力調節ユニット２３を中心にした弾力調節機構を概略説明する。例えば図４に示すように、弾力調節ユニット２３は、ベース７の前部に嵌まる左右一対の支持ブラケット（不図示）と、左右の支持ブラケットの間に配置されたばねユニット５０と、左右の支持ブラケットに回転自在に取り付けた操作軸５１と、ばねユニット５０の左右両側部に装着した側面視略Ｌ形の姿勢保持体（不図示）とを有している。操作軸５１はベース７の側方に突出するレバー５２に取付けられている。支持ブラケットは板材製でベース７の内側面の内側に配置されている。
【００２９】
ばねユニット５０は、略角形で後ろ向きに開口した筒状部材５３と、筒状部材５３の内部に配置された圧縮コイルばねと、筒状部材５３にスライド自在に嵌まった可動ばね受け５５とで構成されている。筒状部材５３と可動ばね受け５５とで請求項に記載したケースが構成されている。可動ばね受け５５は概ね角形の形態を成しており、このため、筒状部材５３の内部も概ね角形に近い形状になっている。また、可動ばね受け５５の左右側面にはガイド突条（不図示）を設けている一方、筒状部材５３の内側面には、ガイド突条が嵌まるガイド溝（不図示）を形成している。
【００３０】
筒状部材５３と可動ばね受け５５には、抜け防止手段の一例として左右横長のピン５６が貫通しており、筒状部材５３のピン挿通穴５７を前後に長い長穴とすることにより、可動ばね受け５５の前後スライドが許容されている。筒状部材５３の前端部には左右外側に突出した支軸６０を設けており、支軸６０は支持ブラケットに設けた穴にブッシュを介して嵌まっている。支持ブラケットはベース７に固定されているので、ばねユニット５０は支軸６０を中心にして上下回動する。
【００３１】
そして、図４に示すように、背支持フレーム１５の前端に設けた押動軸１７にプッシャー６２を装着し、プッシャー６２で可動ばね受け５５を押すようになっている。プッシャー６２は押動部の一例である。可動ばね受け５５の後端部は側面視で後ろ向き凸の山形になっている一方、プッシャー６２の前面は側面視で支軸６０を中心にした曲率半径の円弧面６２ａになっている。
【００３２】
操作軸５１には左右一対のカム部材の外周面に形成された周面カム５８（図３では一方のみ示す）が嵌まっている一方、ばねユニット５０を構成する筒状部材５３の左右両側面には、周面カム５８の外周面が当るカム受け部５９を突設している。図４に明示するように、本実施形態では、周面カム５８には、回転軸心からの距離が短い順に第１〜第５の５つのカム面が形成されており、このため、操作軸５１で周面カム５８を回転させるとばねユニット５０は５つの姿勢に変化し、第１軸１６から可動ばね受け５５までの間隔（スパン）が変化する。その結果、ロッキングに対する抵抗の大きさを５段階に調節することができる。なお、図示しないが、操作軸５１を回転操作するにおいて回転抵抗（或いはクリック感）が略一定に保持され、回転後の周面カムの姿勢を保持するための姿勢保持手段が設けられている。
【００３３】
［操作レバーとワイヤケーブル］
後述するロック切換機構３３を操作するための操作レバー２１は、本実施形態では、左右両側のループ状の肘１４の上辺部に配置され、操作レバー２１の指掛け部８２は上辺部の下面側に露出している。
【００３４】
操作レバー２１から作動機構に操作力を伝達するためのワイヤケーブル６５は、ワイヤ６５ａの先端に係止球６５ｂが固着され、ワイヤ６５ａが挿通する索導管６５ｃを有する。ワイヤケーブル６５の係止球６５ｂが係合できる係合凹所８７が装着溝８６の前寄り部位に形成されている。ワイヤ６５ａは装着溝８６内から後方に伸び、第１案内通路２２の先端にて索導管６５ｃ内に挿通されている（図１２（Ｂ）、図１３（Ｃ）参照）。
【００３５】
図１２（Ａ）〜図１２（Ｃ）、図１３（Ａ）に示されるように、操作レバー２１は基部８３の下部に断面Ｌ字状の指掛け部８２が一体的に形成され、指掛け部８２の自由端が椅子の内側に向くように配される。基部８３の下部と指掛け部８２との間の隙間形成されていない横向き凸部を肘１４の外側になるように配置することで、着座した人が肘１４の外側から指掛け部８２を手で操作し易いようになっている。基部８３から前方下向きに伸びる二股状のアーム８４の下端に、それぞれ外向きの断面円形の軸部８５が形成されている。二股状のアーム８４はそれ自身弾性変形可能な材料により形成されている。したがって、両アーム８４を作業者が指で摘めば、当該両アーム８４間の先端側の間隔を狭めることができるものである。
【００３６】
そして、実施形態では、両軸部８５、５８の外端面間の距離Ｈ２（図１２（Ｂ）、図１２（Ｃ）参照）が、基部８３を挿入できる装着穴６１の狭い方の幅寸法より若干小さくなるように両アーム８４を弾性変形性させることができるものである。なお、基部８３と両アーム８４（軸部８５を含む）は同一の合成樹脂製や金属製の材料にて成形して良い。また、基部８３の上面には前後及び上方に開放された装着溝８６が凹み形成されている。なお、図１２（Ａ）と図１２（Ｃ）に示す操作レバー２１は右側の肘１４用であり、図１２（Ｂ）に示す操作レバー２１は左側の肘１４用である。
【００３７】
図１３（Ａ）と図１３（Ｃ）に示すように、ループ状肘フレーム１９の上辺部１９ａには上下に貫通する装着穴８８が形成されている。上辺部１９ａには、第１案内通路２２が、ループ状肘フレーム１９の周面に沿って前後方に延び且つ外周面に開放して形成され、第１案内通路２２の前端が装着穴８８に連通している。この装着穴８８は操作レバーにおけるワイヤケーブルの一端との連結部にも相当する。第２案内通路（不図示）は、第１案内通路２２の後端に連通し、ループ状肘フレーム１９の後辺部（不図示）の上下方向に沿って延び、且つ外周面に開放して形成されている。なお、上辺部１９ａには、第１案内通路２２を覆うように上カバー体２３が着脱可能に設けられ、上カバー体２３の上辺板２３ａは上辺部１９ａの上面を覆い、上カバー体２３の縦辺板２３ｂは上辺部１９ａの内則面を覆う。ループ状肘フレーム１９の前辺部にはその前面を覆う前カバー体が着脱可能に設けられている。
【００３８】
操作レバー２１は、軸部８５と両アーム８４及び基部８３を、両アーム８４側を前にして上辺部１９ａの下側から装着穴８８に挿入する。その際、両軸部８５の自由端間（外端面間）の寸法Ｈ２が装着穴８８の狭い方の幅寸法Ｈ３より若干小さくなるように、両アーム８４を弾性変形させておく。挿入した後の両アーム８４が弾性復帰すると、操作レバー２１の両軸部８５は、ループ状肘フレームの上辺部１９ａの前側に凹み形成された軸受部８９に抜け不能、且つ回動可能に軸支される。索導管６５ｃの先端部の固定金具６５ｄは第１案内通路２２の先端（前端）の係合部２２ａに嵌め固定する（図１３（Ａ）、図１３（Ｂ）、図１３（Ｃ）参照）。なお、両アーム８４が弾性復帰した後、両アーム８４の内側面間に弾性復帰を規制する規制部材（不図示）を後付けすると、操作レバー２１が装着箇所から脱落するのを防止する上でより好適である。
【００３９】
上カバー体２３をループ状肘フレーム１９の上辺部１９ａに上側から被せて抜け不能に係止する。上カバー体２３の内面から突出する規制片９０の先端が両軸部８５の上面に近接または当接するので（図１３（Ｃ）参照）、両軸部８５は軸受部８９に嵌まった状態で回動のみ自在となる。
【００４０】
［ロック装置］
次に、背もたれ２のロッキングを制御するロック装置を、図３、図４を参照して説明する。ロック装置は、既述のとおりロック用ガスシリンダ１８と、後に詳述するロック切換機構３３とを有している。ロック用ガスシリンダ１８は市販品であり、筒体１８ａとこれにスライド自在に嵌まったロッド１８ｂとを有している。本実施形態では、ロッド２６ｂは後ろ向きに突出しており、ロッド２６ｂの先端（後端）と第３軸３２とを樹脂製等のロック切換機構３３を介して連結している。
【００４１】
ロック用ガスシリンダ１８の前端部には左右横長の第４軸３４が取り付けられており、この第４軸３４は、ピン受け部材３５に上から嵌め込み保持されている。ピン受け部材３５が中間金具８の下面にビスで固定されている。
【００４２】
［ロック切換機構］
次に、図３〜図１１を参照しながら、ロック切換機構３３（請求項にいう切換機構）について説明する。ロック切換機構３３は、第３軸３２を下から抱持する内ケース３６と、内ケース３６に内装する押動体３７と、押動体３７の姿勢を切り換え保持するための摺動ブロック３８を備えた外ケース３９とを有する。ロック切換機構３３の切換部材は、後述するように、案内溝カム６７を有する摺動ブロック３８であり、案内溝カム６７に押動体３７の案内ピン６３が嵌まった状態で押動体３７が傾動できる。内ケース３６の抱え溝４０に第３軸３２を嵌め入れた状態で内ケース３６の上面を覆うように外ケース３９を被嵌させる。外ケース３９の前後対の内向き係合３９ａ，３９ｂにより、内ケース３６は第３軸３２から脱不能となる。
【００４３】
ロッド２６ｂの先端部は内ケース３６の前壁に設けられた取付け穴４１を介して内ケース３６の内径部である収容部４２にプッシュボタン４３が臨むように差し入れ、前後２つのナット４４にてロッド２６ｂを内ケース３６に固定する。
【００４４】
図８、図９（Ｂ）、図１０（Ｂ）に示すように、押動体３７は、下部に取付け穴に貫通して横向きに突出する回動中心軸６１と、上下中途部の前面に凹み形成された凹部６２と上端に上向き突出する案内ピン６３と、ワイヤケーブル６５の一端を取付けるための係止凹所６４とを有している。回動中心軸６１は収容部４２の下部において内ケース３６の両側壁の軸穴６６に軸支されている。したがって、押動体３７はその上部側が、収容部４２内において回動中心軸６１を中心にして前後方向（ロッド２６ｂの進退方向）に揺動可能となっている。凹部６２はプッシュボタン４３と対面して当接または押圧するように配置されている。案内ピン６３は後述する摺動ブロック３８の下面に形成された案内溝カム６７に下方から嵌まる。なお、ワイヤケーブル６５の他端のワイヤに連結して操作する操作レバー２１は、図１（Ｂ）、図２に示すようにループ状の肘１４の上辺部下面に設けられている。したがって、ロック切換機構３３はこれから離間した遠隔位置の操作レバー２１とワイヤケーブル６５とにより遠隔操作される。
【００４５】
押動体３７の裏面側に形成された係止凹所６４には、ワイヤ６５ａの先端の係止球６５ｂが嵌まり係止される。なお、係止凹所６４の側方等には、図示しないが、ワイヤ６５ａと係止球６５ｂとが押動体３７の前面側から裏面側に通過できる箇所がある。ワイヤケーブル６５の索導管６５ｃの一端部は収容部４２の前方の壁に穿設された通過溝６８に固定され、ワイヤ６５ａと索導管６５ｃとはロック切換機構３３の外に引き出される。
【００４６】
外ケース３９には、押動体３７の前後揺動方向と平面視で直交して左右に延びるガイド穴６９が左右両側に貫通するように形成されている。なお、直交でなく、９０度以内または以上の角度で交差するものでも良い。このガイド穴６９には、摺動ブロック３８が左右方向に移動可能に挿入される。摺動ブロック３８の下面に凹み形成されたバネ収容部７０と外ケース３９の一端でガイド穴６９に連通した箇所に凹み形成されたバネ受け部７１との間に圧縮バネ７２（付勢バネともいう）が配置される。なお、外ケース３９の下面側は、内ケース３６における収容部４２の上部及びガイド穴６９の下面側と連通するように開放された開放部７４を有している（図８参照）。
【００４７】
これにより、摺動ブロック３８は、一方（図９（Ａ）の矢印Ｅ）に向かって突出するように付勢されることになる。なお、バネ収容部７０の長さ一杯に圧縮バネ７２が延びきった状態で、摺動ブロック３８の図９（Ａ）の矢印Ｅ方向へのさらなる移動はない。しかしながら、摺動ブロック３８が外ケース３９のガイド穴６９から外に飛び出さないようにする安全対策として、摺動ブロック３８の付勢移動方向の後部等にストッパ突起（不図示）が設けても良い。
【００４８】
摺動ブロック３８の下面に開放される案内溝カム６７は平面視ハート型の内径カム８０と、その外周に案内ピン６３が通過できる間隔を隔てて形成された同じくハート型の外径カム８１とを有している（図７、図８、図９（Ａ）、図１０（Ａ）、図１１参照）。少なくとも、内径カム８０には案内ピン６３が一端安息できる凹部７５を備えている。
【００４９】
案内溝カム６７のうち、内径カム８０における凹部７５の箇所に案内ピン６３が安息できる位置をアンロック位置Ｌ、案内ピン６３が凹部７５から最も離間した反対側の位置にあるときをロック位置Ｒと称する。ワイヤ６５ａによって引かれる押動体３７により、直進する案内ピン６３は、図１１の平面視で示すように、摺動ブロック３８を左または右方に押しながら案内溝カム６７内を時計回り方向に巡回して歩進移動可能とする。
【００５０】
案内ピン６３の通過に関連させる規制バネ体７６の一例として、一方の足部７６ａと他方の足部７６ｂとを有するように合成樹脂製または金属バネ板でＶ字状に形成されている。規制バネ体７６は案内溝カム６７を挟んで、バネ収容部７０と反対側の収容部７７に配置されている。規制バネ体７６のＶ字の他方の足部７６ｂの他端部は収容部７７のストッパ部７９にて規制されている。規制バネ体７６の一方の足部７６ａは、アンロック位置Ｌに近い側では外径カム８１の左壁８１ｂに近い位置であり、ロック位置Ｒに近づくにつれて足部７６ａの先端側が内径カム８０の左壁８０ｂに近づくように配置されている。
【００５１】
ロック切換機構３３の動作をより詳しく説明すると、ロック位置Ｒからアンロック位置Ｌへ案内ピン６３が移動するときは、直進する案内ピン６３が内径カム８０の右壁８０ａに摺接しながら前方（凹部７５に近づく方向）に移動し、このとき摺動ブロック３８が圧縮バネ７２の付勢力に抗して図１１の左方向に移動することになる。
【００５２】
反対に、アンロック位置Ｌからロック位置Ｒへ案内ピン６３が移動するときは、摺動ブロック３８が圧縮バネ７２の付勢力にて図１１の右方向に移動する力を受けるので、案内ピン６３が外径カム８１の左壁８１ｂに摺接しながらロック位置Ｒ方向に後退する。ロック位置Ｒに近づくと、案内ピン６３は規制バネ体７６の一方の足部７６ａの外面を押しながら進む。案内ピン６３が一方の足部７６ａの先端部を通り越すと、規制バネ体７６のバネ力で、案内溝カム６７の通路が塞がれるので、案内ピン６３は、外径カム８１の左壁８１ｂと内径カム８０の左壁８０ｂの方に後戻りしない。
【００５３】
アンロック位置Ｌでは、ワイヤケーブル６５のワイヤ６５ａの引き力を緩めても、案内ピン６３が凹部７５に納まった状態（姿勢）を保持できる。ロック位置Ｒでは、ワイヤ６５ａの引き力を緩めても案内ピン６３が内径カム８０に沿って凹部７５に近づかないように、内径カム８０のとがった箇所（ロック位置Ｒに相当）と、その側部に配置された規制バネ体７６の片方の足部７６ａの先端などに形成された当接部７８とに案内ピン６３の側面が当接して安息する。
【００５４】
ワイヤ６５ａによって引かれる押動体３７の案内ピン６３が凹部７５にある時（アンロック位置（ロック解除位置またはフリー位置ともいう）Ｌでは（図１０（Ａ）、図１０（Ｂ）及び図１１に示す）、突出方向に付勢されているプッシュボタン４３が前傾した押動体３７に押されて、ガスシリンダ１８はフリー状態（アンロック状態）となる。この状態では、着座者が背もたれ２に凭れかかると、その力で背もたれは自由に後傾し得る。また、案内ピン６３が凹部７５に納まった状態で、操作レバー２１から手を離す等して、ワイヤケーブル６５のワイヤ６５ａの引き力を緩めても、案内ピン６３は凹部７５に納まった状態（姿勢）を保持できる。
【００５５】
着座者が背もたれ２に凭れて、当該背もたれ２が適度な後傾角度になったとき、再度操作レバー２１を操作してワイヤ６５ａを引くと、案内ピン６３が凹部７５から離れる。この状態では、摺動ブロック３８が圧縮バネ７３の付勢力にて図１１の右方向に移動する。で、この状態で操作レバー２１から手を離すと、案内ピン６３が外径カム８１の左壁８１ｂと内径カム８０の左壁８０ｂの方に移動し、既述したように、案内ピン６３はロック位置Ｒまで戻り、規制バネ体７６の片方の足部７６ａの先端などに形成された当接部７８とに案内ピン６３の側面が当接して安息状態を保持できる。この状態では、図９（Ｂ）に示すように、押動体３７が後傾するので、プッシュボタン４３は自力で突出し、ガスシリンダ１８はロック状態となり、背もたれ２の所定の後傾姿勢が保持される。
【００５６】
このように、傾動ロック状態から操作レバー２１を一度引くと、ワイヤ６５ａを引張り、押動体３７がガスシリンダ１８のプッシュボタン４３を押し、傾動フリー状態となる。押動体３７はハートカム型の内径カム８０の凹部７５に保持されるため、操作レバー２１から手を離しても、押動体３７はプッシュボタン４３を押したままのフリー状態で保持さることになる。そして、操作レバー２１はその自重で操作前（手で押す前）の姿勢に復帰する。また、操作レバー２１に操作前の状態に常時付勢するバネ体などの弾性体を備えておくと、自重のみで復帰するよりも、操作レバー２１のぐらつき（ガタつき）などを抑制できて好適である。
【００５７】
このように操作レバー２１の姿勢は、傾動ロック状態、傾動フリー状態のいずれにおいても、外観上相違ないため、特に肘掛けに操作レバー２１を設ける等、比較的目立ちやすい箇所に操作レバー２１を配置する際には好適である。
【００５８】
別実施形態として、案内溝カム６７を上記実施形態と逆向きに配置しても良い。即ち、凹部７５がプッシュボタン４３から遠い側となるように配置する。その場合、規制バネ体７６の配置の向きも逆向きとする。
【００５９】
別実施形態として、ロック用ガスシリンダ１８のロッド１８ｂを椅子の前方向で進退動するように配置し、中間金具８の第４軸３４とロッド１８ｂとを連結するように、ロック用切換機構３３を設けても良い。その場合、外ケース３９がロッド１８ｂの下側になるように、上記実施形態と上下逆向きに配置すれば、ロック用切換機構３３の大部分がベース７の内部空間に配置できるので、中間金具８とロック用切換機構３３とが干渉することがない。
【００６０】
本願発明は上記の実施形態の他にも様々に具体化できる。例えば、適用対象は移動自在な回転椅子には限らず、劇場用椅子のような固定式の椅子にも適用できる。また、背もたれの後傾動に連動して座が後傾及び後退するシンクロ椅子にも適用できる。
【産業上の利用可能性】
【００６１】
本願発明は椅子に具体化することができる。従って、産業上利用できる。
【符号の説明】
【００６２】
１  座
２  背もたれ
７  ベース
８  中間金具
１５  背支持フレーム
１６  第１軸（背もたれの傾動支点になる軸）
１８  ロック用ガスシリンダ
３２  第３軸
３３  ロック切換機構
３４  第４軸
３６  内ケース
３７  押動体
３８  摺動ブロック
３９  外ケース
６３  案内ピン
６７  案内溝カム
８０  内径カム
８１  外径カム
【図１】
2014097150.tif 000003
【図２】
2014097150.tif 000004
【図３】
2014097150.tif 000005
【図４】
2014097150.tif 000006
【図５】
2014097150.tif 000007
【図６】
2014097150.tif 000008
【図７】
2014097150.tif 000009
【図８】
2014097150.tif 000010
【図９】
2014097150.tif 000011
【図１０】
2014097150.tif 000012
【図１１】
2014097150.tif 000013
【図１２】
2014097150.tif 000014
【図１３】
2014097150.tif 000015